(57)【要約】【課題】  情報の全体像を把握しながら、或る部分についてより詳細な情報や関連する情報を簡易に閲覧することができる環境を利用者に提供する。【解決手段】  或る電子ペーパＥＰ（第１電子ペーパＥＰ１）には、サーバ（制御装置）Ｓから供給された或る情報の全体像が表示されており、当該電子ペーパＥＰに利用者が虫眼鏡チップ（指示装置）Ｔを布置すると、当該虫眼鏡チップＴが、当該電子ペーパＥＰの媒体ＩＤを読み取ると共に布置された位置を検出し、その位置情報及び媒体ＩＤ及び自己のチップＩＤをサーバＳに送信する。サーバＳは、受信した媒体ＩＤに基づいて電子ペーパＥＰの表示画像を特定して当該画像における受信した位置情報に対応する部分を特定し、当該部分を拡大した画像の画像情報を、受信したチップＩＤに応じた他の電子ペーパＥＰ（第２電子ペーパＥＰ２）に供給して表示させる。【選択図】  図１
2008225284.tif 000002
【特許請求の範囲】
【請求項１】
書込外力に応じて画像が書換可能に形成され且つ当該書込外力を除去した後も形成された画像を表示保持する複数の表示保持媒体と、
一の表示保持媒体に対する利用者操作に基づいて、当該一の表示保持媒体上の当該利用者操作に係る位置を示す位置情報を取得する第１の取得手段と、
前記一の表示保持媒体に表示されている画像における前記取得した位置情報に対応する部分を特定する特定手段と、
前記特定した部分に応じた画像の表示先となる他の表示保持媒体を特定する媒体特定情報を前記利用者操作に基づいて取得する第２の取得手段と、
前記特定した部分に応じた画像を前記取得した媒体特定情報に該当する表示保持媒体に表示させるために当該表示保持媒体に画像情報を供給する供給手段と、を備えた制御装置と、
を有することを特徴とする情報表示システム。
【請求項２】
前記情報表示システムは、前記一の表示保持媒体に対して利用者に布置される指示装置を有し、
前記指示装置は、当該指示装置に予め関連付けられた他の表示保持媒体を特定する媒体特定情報を記憶する第１の記憶手段と、前記一の表示保持媒体に布置された位置を検出する第１の検出手段と、前記検出した位置を示す位置情報及び前記記憶している媒体特定情報を前記制御装置に送信する第１の送信手段と、を備え、
前記制御装置は、前記一の表示保持媒体に前記指示装置を布置する利用者操作に基づいて、前記第１の取得手段が当該指示装置から位置情報を取得し、前記第２の取得手段が当該指示装置から媒体特定情報を取得することを特徴とする請求項１に記載の情報表示システム。
【請求項３】
前記表示保持媒体は、自媒体が表示している画像を特定する画像特定情報を記憶する第２の記憶手段を備え、
前記指示装置は、当該指示装置が布置された前記一の表示保持媒体から画像特定情報を読み取る読取手段を備え、
前記第１の送信手段は、前記読み取った画像特定情報を位置情報及び媒体特定情報の送信に応じて前記制御装置に送信し、
前記特定手段は、前記取得した画像特定情報に該当する画像における前記取得した位置情報に対応する部分を特定することを特徴とする請求項２に記載の情報表示システム。
【請求項４】
前記一の表示保持媒体は、当該表示保持媒体に対して利用者に描画された図形の位置及び形状を検出する第２の検出手段と、前記検出した図形の位置を示す位置情報及び形状を示す形状情報を前記制御装置に送信する第２の送信手段と、を備え、
前記制御装置は、前記一の表示保持媒体に図形を描画する利用者操作に基づいて、前記第１の取得手段が当該表示保持媒体から位置情報を取得し、前記第１の取得手段が当該表示保持媒体から形状情報を取得して当該形状情報に予め関連付けられた媒体特定情報を取得することを特徴とする請求項１に記載の情報表示システム。
【請求項５】
前記一の表示保持媒体は、自媒体が表示している画像を特定する画像特定情報を記憶する第２の記憶手段を備え、
前記第２の送信手段は、前記記憶している画像特定情報を位置情報及び形状情報の送信に応じて前記制御装置に送信し、
前記特定手段は、前記取得した画像特定情報に該当する画像における前記取得した位置情報に対応する部分を特定することを特徴とする請求項４に記載の情報表示システム。
【請求項６】
書込外力に応じて画像が書換可能に形成され且つ当該書込外力を除去した後も形成された画像を表示保持する一の表示保持媒体に対する利用者操作に基づいて、当該一の表示保持媒体上の当該利用者操作に係る位置を示す位置情報を取得する第１の取得手段と、
前記一の表示保持媒体に表示されている画像における前記取得した位置情報に対応する部分を特定する特定手段と、
前記特定した部分に応じた画像の表示先となる他の表示保持媒体を特定する媒体特定情報を前記利用者操作に基づいて取得する第２の取得手段と、
前記特定した部分に応じた画像の画像情報を前記取得した媒体特定情報に該当する表示保持媒体に供給する供給手段と、
を備えたことを特徴とする制御装置。
【請求項７】
書込外力に応じて画像が書換可能に形成され且つ当該書込外力を除去した後も形成された画像を表示保持する一の表示保持媒体に自装置を布置する利用者操作に基づいて、当該布置された位置を検出する検出手段と、
自装置に予め関連付けられた他の表示保持媒体を特定する媒体特定情報を記憶する記憶手段と、
前記検出した位置を示す位置情報及び前記記憶している媒体特定情報を、前記一の表示保持媒体に表示されている画像における前記布置された位置に対応する部分に応じた画像を自装置に予め関連付けられた他の表示保持媒体に供給する制御装置に送信する送信手段と、
を備えたことを特徴とする指示装置。
【請求項８】
自媒体に対して図形を描画する利用者操作に応じた画像を、書込外力に応じて画像が書換可能に形成され且つ当該書込外力を除去した後も形成された画像を表示保持する他の表示保持媒体のうちの当該利用者操作に応じた表示保持媒体に表示させるために、描画された図形の位置及び形状を検出する検出手段と、
前記検出した図形の位置を示す位置情報及び形状を示す形状情報を、自媒体に表示されている画像における前記図形の位置に対応する部分に応じた画像を前記図形の形状に予め対応付けられた他の表示保持媒体に供給する制御装置に送信する送信手段と、
を備えたことを特徴とする表示保持媒体。
【請求項９】
コンピュータに、
書込外力に応じて画像が書換可能に形成され且つ当該書込外力を除去した後も形成された画像を表示保持する一の表示保持媒体に対する利用者操作に基づいて、当該一の表示保持媒体上の当該利用者操作に係る位置を示す位置情報を取得する第１の取得機能と、
前記一の表示保持媒体に表示されている画像における前記取得した位置情報に対応する部分を特定する特定機能と、
前記特定した部分に応じた画像の表示先となる他の表示保持媒体を特定する媒体特定情報を前記利用者操作に基づいて取得する第２の取得機能と、
前記特定した部分に応じた画像の画像情報を前記取得した媒体特定情報に該当する表示保持媒体に供給する供給機能と、
を実現するためのプログラム。
【請求項１０】
書込外力に応じて画像が書換可能に形成され且つ当該書込外力を除去した後も形成された画像を表示保持する一の表示保持媒体に布置される指示装置のコンピュータに、
前記一の表示保持媒体に当該指示装置を布置する利用者操作に基づいて、当該布置された位置を検出する検出機能と、
当該指示装置に予め関連付けられた他の表示保持媒体を特定する媒体特定情報を記憶する記憶機能と、
前記検出した位置を示す位置情報及び前記記憶している媒体特定情報を、前記一の表示保持媒体に表示されている画像における前記布置された位置に対応する部分に応じた画像を当該指示装置に予め関連付けられた他の表示保持媒体に供給する制御装置に送信する送信機能と、
を実現するためのプログラム。
【請求項１１】
書込外力に応じて画像が書換可能に形成され且つ当該書込外力を除去した後も形成された画像を表示保持する表示保持媒体のコンピュータに、
当該表示保持媒体に対して図形を描画する利用者操作に応じた画像を当該利用者操作に応じた他の表示保持媒体に表示させるために、描画された図形の位置及び形状を検出する検出機能と、
前記検出した図形の位置を示す位置情報及び形状を示す形状情報を、当該表示保持媒体に表示されている画像における前記図形の位置に対応する部分に応じた画像を前記図形の形状に予め対応付けられた他の表示保持媒体に供給する制御装置に送信する送信機能と、
を実現するためのプログラム。
【発明の詳細な説明】
【技術分野】
【０００１】
本発明は、情報表示システム、制御装置、指示装置、表示保持媒体、及びプログラムに関する。
【背景技術】
【０００２】
印刷物は一般に外部からのインクやトナー等の着色材料や現像材料を紙を代表とする媒体上に供給することで固定的な画像表示を行わせるものであるが、このような固定的に画像を表示保持する媒体に代替可能な媒体として、書込外力に応じて画像が書換可能に形成され且つ当該書込外力を除去した後も形成された画像を表示保持する表示保持媒体が研究開発されている。
【０００３】
このような表示保持媒体は、画像を表示保持する領域としての表示部の内部に画像を構成する表示材料を含有し、この表示材料に書込外力（電気、磁気、熱、所定ＰＨの液体といった化学的作用等）を作用させることで、表示材料が物理的或いは化学的に状態が変化して書込外力に応じた画像が形成され、また、この書込外力を除去した後でも形成された画像が維持され、さらに、異なる書込外力を作用させると先の画像が新たな書込外力に応じた画像へと変化するものである。このように書込外力を無くした状態での表示状態の維持（記憶）が紙のようである点に加えて、着色材料や現像剤を外部から供給することなく表示画像を書き換えられる点が電子デバイス的であることから、電子ペーパと称せられることが多い。
【０００４】
ここで、部分地図画像を表示している第１電子ペーパが、第２電子ペーパが隣接されたことをセンサで検出し、当該部分地図画像に同じ隣接位置関係で隣接する部分地図画像データを第２電子ペーパに提供して当該隣接する部分地図画像を表示させる発明が提案されている（特許文献１参照）。
また、第１のイメージ画像を表示装置に表示し、入力装置からの指示に基づいて、前記第１のイメージ画像に関連付けられた第２のイメージ画像の特定領域の画像を変更し、前記変更された画像を前記第１のイメージ画像に合成して表示する（例えば地図画像上の指定領域に関連情報を重ね表示する）発明が提案されている（特許文献２参照）。
【特許文献１】特開２００６−０３０５６３号公報
【特許文献２】特開平０７−２６２２１１号公報
【発明の開示】
【発明が解決しようとする課題】
【０００５】
従来より、コンピュータを用いて作成した電子文書が、ディスプレイ画面への表示や用紙への印刷等によって各利用者に閲覧され、情報の伝達・共有等に用いられている。
ここで、例えば、電子文書が大きな表を含むような場合、その全体を把握しながら或る部分を詳細に見るためには、ウィンドウ分割や別ウィンドウの立ち上げ等を行う必要があり、扱いにくかった。また、ディスプレイ画面の大きさによってはウィンドウ切り替えが必要となり、面倒であった。
また、例えば、複数ページからなる電子文書やＷｅｂページから複数の部分を抜き出して見比べるといった作業の際にも、上記のような問題があった。
【０００６】
本発明は、上記従来の事情に鑑みなされたものであり、情報の全体像を把握しながら、或る部分についてより詳細な情報や関連する情報を簡易に閲覧することができる環境を利用者に提供することを目的としている。
【課題を解決するための手段】
【０００７】
請求項１に記載の本発明は、書込外力に応じて画像が書換可能に形成され且つ当該書込外力を除去した後も形成された画像を表示保持する複数の表示保持媒体と、一の表示保持媒体に対する利用者操作に基づいて、当該一の表示保持媒体上の当該利用者操作に係る位置を示す位置情報を取得する第１の取得手段と、前記一の表示保持媒体に表示されている画像における前記取得した位置情報に対応する部分を特定する特定手段と、前記特定した部分に応じた画像の表示先となる他の表示保持媒体を特定する媒体特定情報を前記利用者操作に基づいて取得する第２の取得手段と、前記特定した部分に応じた画像を前記取得した媒体特定情報に該当する表示保持媒体に表示させるために当該表示保持媒体に画像情報を供給する供給手段と、を備えた制御装置と、を有することを特徴とする情報表示システムである。
【０００８】
請求項２に記載の本発明は、請求項１に記載の情報表示システムにおいて、前記情報表示システムは、前記一の表示保持媒体に対して利用者に布置される指示装置を有し、前記指示装置は、当該指示装置に予め関連付けられた他の表示保持媒体を特定する媒体特定情報を記憶する第１の記憶手段と、前記一の表示保持媒体に布置された位置を検出する第１の検出手段と、前記検出した位置を示す位置情報及び前記記憶している媒体特定情報を前記制御装置に送信する第１の送信手段と、を備え、前記制御装置は、前記一の表示保持媒体に前記指示装置を布置する利用者操作に基づいて、前記第１の取得手段が当該指示装置から位置情報を取得し、前記第２の取得手段が当該指示装置から媒体特定情報を取得することを特徴とする情報表示システムである。
【０００９】
請求項３に記載の本発明は、請求項２に記載の情報表示システムにおいて、前記表示保持媒体は、自媒体が表示している画像を特定する画像特定情報を記憶する第２の記憶手段を備え、前記指示装置は、当該指示装置が布置された前記一の表示保持媒体から画像特定情報を読み取る読取手段を備え、前記第１の送信手段は、前記読み取った画像特定情報を位置情報及び媒体特定情報の送信に応じて前記制御装置に送信し、前記特定手段は、前記取得した画像特定情報に該当する画像における前記取得した位置情報に対応する部分を特定することを特徴とする情報表示システムである。
【００１０】
請求項４に記載の本発明は、請求項１に記載の情報表示システムにおいて、前記一の表示保持媒体は、当該表示保持媒体に対して利用者に描画された図形の位置及び形状を検出する第２の検出手段と、前記検出した図形の位置を示す位置情報及び形状を示す形状情報を前記制御装置に送信する第２の送信手段と、を備え、前記制御装置は、前記一の表示保持媒体に図形を描画する利用者操作に基づいて、前記第１の取得手段が当該表示保持媒体から位置情報を取得し、前記第１の取得手段が当該表示保持媒体から形状情報を取得して当該形状情報に予め関連付けられた媒体特定情報を取得することを特徴とする情報表示システムである。
【００１１】
請求項５に記載の本発明は、請求項４に記載の情報表示システムにおいて、前記一の表示保持媒体は、自媒体が表示している画像を特定する画像特定情報を記憶する第２の記憶手段を備え、前記第２の送信手段は、前記記憶している画像特定情報を位置情報及び形状情報の送信に応じて前記制御装置に送信し、前記特定手段は、前記取得した画像特定情報に該当する画像における前記取得した位置情報に対応する部分を特定することを特徴とする情報表示システムである。
【００１２】
請求項６に記載の本発明は、書込外力に応じて画像が書換可能に形成され且つ当該書込外力を除去した後も形成された画像を表示保持する一の表示保持媒体に対する利用者操作に基づいて、当該一の表示保持媒体上の当該利用者操作に係る位置を示す位置情報を取得する第１の取得手段と、前記一の表示保持媒体に表示されている画像における前記取得した位置情報に対応する部分を特定する特定手段と、前記特定した部分に応じた画像の表示先となる他の表示保持媒体を特定する媒体特定情報を前記利用者操作に基づいて取得する第２の取得手段と、前記特定した部分に応じた画像の画像情報を前記取得した媒体特定情報に該当する表示保持媒体に供給する供給手段と、を備えたことを特徴とする制御装置である。
【００１３】
請求項７に記載の本発明は、書込外力に応じて画像が書換可能に形成され且つ当該書込外力を除去した後も形成された画像を表示保持する一の表示保持媒体に自装置を布置する利用者操作に基づいて、当該布置された位置を検出する検出手段と、自装置に予め関連付けられた他の表示保持媒体を特定する媒体特定情報を記憶する記憶手段と、前記検出した位置を示す位置情報及び前記記憶している媒体特定情報を、前記一の表示保持媒体に表示されている画像における前記布置された位置に対応する部分に応じた画像を自装置に予め関連付けられた他の表示保持媒体に供給する制御装置に送信する送信手段と、を備えたことを特徴とする指示装置である。
【００１４】
請求項８に記載の本発明は、自媒体に対して図形を描画する利用者操作に応じた画像を、書込外力に応じて画像が書換可能に形成され且つ当該書込外力を除去した後も形成された画像を表示保持する他の表示保持媒体のうちの当該利用者操作に応じた表示保持媒体に表示させるために、描画された図形の位置及び形状を検出する検出手段と、前記検出した図形の位置を示す位置情報及び形状を示す形状情報を、自媒体に表示されている画像における前記図形の位置に対応する部分に応じた画像を前記図形の形状に予め対応付けられた他の表示保持媒体に供給する制御装置に送信する送信手段と、を備えたことを特徴とする表示保持媒体である。
【００１５】
請求項９に記載の本発明は、コンピュータに、書込外力に応じて画像が書換可能に形成され且つ当該書込外力を除去した後も形成された画像を表示保持する一の表示保持媒体に対する利用者操作に基づいて、当該一の表示保持媒体上の当該利用者操作に係る位置を示す位置情報を取得する第１の取得機能と、前記一の表示保持媒体に表示されている画像における前記取得した位置情報に対応する部分を特定する特定機能と、前記特定した部分に応じた画像の表示先となる他の表示保持媒体を特定する媒体特定情報を前記利用者操作に基づいて取得する第２の取得機能と、前記特定した部分に応じた画像の画像情報を前記取得した媒体特定情報に該当する表示保持媒体に供給する供給機能と、を実現するためのプログラムである。
【００１６】
請求項１０に記載の本発明は、書込外力に応じて画像が書換可能に形成され且つ当該書込外力を除去した後も形成された画像を表示保持する一の表示保持媒体に布置される指示装置のコンピュータに、前記一の表示保持媒体に当該指示装置を布置する利用者操作に基づいて、当該布置された位置を検出する検出機能と、当該指示装置に予め関連付けられた他の表示保持媒体を特定する媒体特定情報を記憶する記憶機能と、前記検出した位置を示す位置情報及び前記記憶している媒体特定情報を、前記一の表示保持媒体に表示されている画像における前記布置された位置に対応する部分に応じた画像を当該指示装置に予め関連付けられた他の表示保持媒体に供給する制御装置に送信する送信機能と、を実現するためのプログラムである。
【００１７】
請求項１１に記載の本発明は、書込外力に応じて画像が書換可能に形成され且つ当該書込外力を除去した後も形成された画像を表示保持する表示保持媒体のコンピュータに、当該表示保持媒体に対して図形を描画する利用者操作に応じた画像を当該利用者操作に応じた他の表示保持媒体に表示させるために、描画された図形の位置及び形状を検出する検出機能と、前記検出した図形の位置を示す位置情報及び形状を示す形状情報を、当該表示保持媒体に表示されている画像における前記図形の位置に対応する部分に応じた画像を前記図形の形状に予め対応付けられた他の表示保持媒体に供給する制御装置に送信する送信機能と、を実現するためのプログラムである。
【発明の効果】
【００１８】
請求項１に記載の情報表示システムによると、利用者は、或る表示保持媒体を用いて情報の全体像を把握しつつ、より詳細な情報や関連する情報を閲覧したいと望む部分を所望の表示保持媒体に表示させる指示を、一度の利用者操作で行うことができる。
【００１９】
請求項２に記載の情報表示システムによると、或る表示保持媒体に指示装置を布置するという直感的な一度の利用者操作により、当該指示装置が布置された位置に応じた情報を当該指示装置に関連付けられた他の表示保持媒体に表示させることができる。
【００２０】
請求項３に記載の情報表示システムによると、情報の全体像を表示する複数の表示保持媒体がある場合であっても、指示装置が布置された表示保持媒体における当該指示装置の布置位置に応じた情報を当該指示装置に関連付けられた他の表示媒体に表示させることができる。
【００２１】
請求項４に記載の情報表示システムによると、或る表示保持媒体に図形を描画するという直感的な一度の利用者操作により、当該描画された図形の位置に応じた情報を当該描画された図形に関連付けられた他の表示保持媒体に表示させることができる。
【００２２】
請求項５に記載の情報表示システムによると、情報の全体像を表示する複数の表示保持媒体がある場合であっても、図形が描画された表示保持媒体における当該図形の位置に応じた情報を当該図形の形状に関連付けられた他の表示媒体に表示させることができる。
【００２３】
請求項６に記載の制御装置によると、或る表示保持媒体を用いて情報の全体像を利用者に把握させつつ、より詳細な情報や関連する情報を閲覧したいと利用者が望む部分を所望の表示保持媒体に表示させる指示を、一度の利用者操作で行うことが可能なシステムを構築できる。
【００２４】
請求項７に記載の指示装置によると、或る表示保持媒体に当該指示装置を布置するという一度の利用者操作により、当該指示装置が布置された位置に応じた情報を当該指示装置に予め関連付けられた他の表示保持媒体に表示することが可能なシステムを構築できる。
【００２５】
請求項８に記載の表示保持媒体によると、当該表示保持媒体に図形を描画するという一度の利用者操作により、当該描画された図形の位置に応じた情報を当該描画された図形に予め関連付けられた他の表示保持媒体に表示することが可能なシステムを構築できる。
【００２６】
請求項９に記載のプログラムによると、その実行によりコンピュータ上に実現される各機能を備えた制御装置を用いて、或る表示保持媒体を用いて情報の全体像を利用者に把握させつつ、より詳細な情報や関連する情報を閲覧したいと利用者が望む部分を所望の表示保持媒体に表示させる指示を、一度の利用者操作で行うことが可能なシステムを構築できる。
【００２７】
請求項１０に記載のプログラムによると、その実行によりコンピュータ上に実現される各機能を備えた指示装置を用いて、或る表示保持媒体に当該指示装置を布置するという一度の利用者操作により、当該指示装置が布置された位置に応じた情報を当該指示装置に予め関連付けられた他の表示保持媒体に表示することが可能なシステムを構築できる。
【００２８】
請求項１１に記載のプログラムによると、その実行によりコンピュータ上に実現される各機能を備えた表示保持媒体を用いて、当該表示保持媒体に図形を描画するという一度の利用者操作により、当該描画された図形の位置に応じた情報を当該描画された図形に予め関連付けられた他の表示保持媒体に表示することが可能なシステムを構築できる。
【発明を実施するための最良の形態】
【００２９】
まず、本発明に用いることができる表示保持媒体（いわゆる電子ペーパ）について説明する。
電子ペーパは、書込外力に応じて画像が書換可能に形成され且つ当該書込外力を除去した後も形成された画像を表示保持する媒体であり、その表示原理としては、電気、磁気、熱といった外力を直接印加して素子を駆動するもの、あるいは光照射に伴う電圧変化により素子を駆動するものや、電圧印加に伴う液体のＰＨ変化により呈色状態を変化させる等、連鎖的に素子を駆動する表示原理を用いるもの等がある。
【００３０】
本例では、電気の直接印加により画像を書き換える電子ペーパ（以下、電気書換型電子ペーパ）を用いており、その動作原理を具体的に説明する。
電気書換型電子ペーパは、媒体の大部分を占める表示部１１の断面構造を表す図１３に示すように、微細な着色帯電粒子（図示の例では、白色粒子７１と黒色粒子７２）を少なくとも表面側が透明な表裏一対の電極７３間に封入し、これを少なくとも表面側が透明な表裏一対のフィルム基板７４で挟んだ構造となっている。着色粒子７１、７２が自由に移動できるように電極層７３間は空気層となっており、また、マトリックス状の電極層７３には着色粒子７１、７２との接触を防止する絶縁層７５が設けられている。なお、カラーフィルターを用いることにより、簡単な構造でカラー表示を実現することも可能である。
【００３１】
そして、電気書換型電子ペーパは、表示部１１の動作原理を表す図１４に示すように、電極７３に電圧を印加していない状態（但し、電極７３は前回の駆動時の極性に帯電している）では、負（マイナス）に帯電した白色粒子７１は裏面側に溜まる一方、正（プラス）に帯電した黒色粒子７２は表面側に溜まり、表示部１１を表面側から目視すると表示部１１は黒色な状態となる。そして、表示部１１に接続されたドライバ（後述する書込手段１５）を画像データに基づいて動作させ、当該ドライバの機能により表示する画像に応じた表示部１１のマトリックスの所要部の電極極性を反転させると、白色粒子７１と黒色粒子７２との位置関係が入れ替わって、表示部１１に白色粒子７１と黒色粒子７２とのコントラストによる画像が表示される。なお、異なる画像データに基づいてドライバを動作させることにより、白色粒子７１と黒色粒子７２とのコントラストにより表示部１１に表示される画像を切り換えることができ、幾度も再使用することができる。
【００３２】
図１は、本発明の一実施例に係る情報表示システムの概要を示している。
すなわち、本例の情報表示システムでは、或る電子ペーパＥＰ（第１電子ペーパＥＰ１）には、サーバ（制御装置）Ｓから供給された或る情報の全体像が表示されており、当該電子ペーパＥＰに利用者が虫眼鏡チップ（指示装置）Ｔを布置すると、虫眼鏡チップＴがその位置を検出して位置情報をサーバＳに送信し、サーバＳが当該位置に対応する部分の拡大画像を他の電子ペーパＥＰ（第２電子ペーパＥＰ２）に供給して表示させている。
【００３３】
図２は、本例に係る電子ペーパＥＰの機能構成を示している。
本例の電子ペーパＥＰは、画像を表示保持する表示部１１、サーバＳと無線通信を行う通信手段１２、当該電子ペーパＥＰを識別する媒体ＩＤを無線読取可能に記憶する媒体メモリ１３、当該電子ペーパＥＰの動作を制御する制御手段１４、サーバＳから受信した画像を表示部１１に書き込む書込手段１５、を備えている。
【００３４】
図３は、本例に係る虫眼鏡チップＴの機能構成を示している。
本例の虫眼鏡チップＴは、サーバＳと無線通信を行う通信手段２１、当該虫眼鏡チップＴを識別するチップＩＤを記憶するチップメモリ２２、当該虫眼鏡チップＴの布置下にある電子ペーパＥＰから媒体ＩＤを読み取る読取手段２３、当該虫眼鏡チップＴの布置下にある画像を撮影する撮影手段２４、撮影画像に基づいて当該虫眼鏡チップＴが布置された電子ペーパＥＰ上の位置を検出し、その位置情報を前記読み取った媒体ＩＤ及び当該虫眼鏡チップＴのチップＩＤと共にサーバＳに通信手段２１により送信する検出手段２５、を備えている。
なお、本例では、虫眼鏡チップＴを布置する対象となる電子ペーパＥＰに表示する画像は、或る情報の全体像の画像を虫眼鏡チップＴの撮影範囲に応じた幅（例えば１ｃｍ）のマス目状に区切り、各マス内にその位置を示すパターン画像を含めたものであり、虫眼鏡チップＴは、撮影画像に含まれるパターン画像に基づいて位置検出を行っている。
【００３５】
図４は、本例に係るサーバＳの機能構成を示している。
本例のサーバＳは、電子ペーパＥＰ及び虫眼鏡チップＴと無線通信を行う通信手段３１、画像情報を保持・管理する画像データベース３２、各種データの対応関係を示す対応テーブル３３、虫眼鏡チップＴから受信する情報に基づいて虫眼鏡チップＴが布置された当該電子ペーパＥＰの表示画像上の対応する部分を特定する特定手段３４、特定した部分を拡大した画像の画像情報を当該虫眼鏡チップＴに対応する他の電子ペーパＥＰに供給して表示させる供給手段３５、を備えている。
【００３６】
対応テーブル３３は、図５（ａ）に示すように、虫眼鏡チップＴのチップＩＤと電子ペーパＥＰの媒体ＩＤとを対応付けたチップ・媒体対応テーブルと、同図（ｂ）に示すように、電子ペーパＥＰの媒体ＩＤと当該電子ペーパＥＰに表示されている画像を識別する画像ＩＤとを対応付けた媒体・画像対応テーブルと、を有している。
【００３７】
本例に係る情報表示システムによる処理の流れを具体的に説明する。
利用者が、或る情報の全体像が表示された電子ペーパＥＰに虫眼鏡チップＴを布置すると、虫眼鏡チップＴは、読取手段２２により当該電子ペーパＥＰの媒体ＩＤを読み取ると共に、撮影手段２３により当該虫眼鏡チップＴの布置下にある画像を撮影する。そして、検出手段２４が、当該撮影画像に含まれるパターン画像に基づいて当該虫眼鏡チップＴが布置された電子ペーパＥＰ上の位置を検出し、その位置情報を前記読み取った媒体ＩＤ及び当該虫眼鏡チップＴのチップＩＤと共にサーバＳに通信手段２１により送信する
【００３８】
サーバＳは、虫眼鏡チップＴから位置情報及び媒体ＩＤ及びチップＩＤを受信すると、特定手段３４が、当該受信した媒体ＩＤに基づいて媒体・画像対応テーブルを参照して前記虫眼鏡チップＴの載置下にある電子ペーパＥＰに表示されている画像を特定し、その画像における当該受信した位置情報に対応する部分を特定する。そして、供給手段３５が、当該部分を拡大した画像の画像情報を生成し、また、前記受信したチップＩＤに基づいてチップ・媒体対応テーブルを参照して画像情報の送信先となる電子ペーパＥＰを特定して、前記生成した画像情報を当該電子ペーパＥＰに対して送信する。また、供給手段３５は、当該電子ペーパＥＰの媒体ＩＤと当該画像情報の画像ＩＤとを対応付けた情報を媒体・画像対応テーブルに追加する。
サーバＳから画像情報を受信した電子ペーパＥＰは、制御手段１４による制御の下、当該画像情報に基づいて書込手段１５を動作させて表示部１１に拡大画像を書き込み表示させる。
【００３９】
なお、本例では、虫眼鏡チップＴの布置下にある電子ペーパＥＰが表示している画像を特定する画像特定情報として、当該電子ペーパＥＰの媒体ＩＤを媒体メモリ１３に記憶させており、当該媒体ＩＤと媒体・画像対応テーブルとを用いて表示画像を特定しているが、例えば、その表示画像の画像ＩＤ自体を画像特定情報として媒体メモリ１３に記憶させておき、表示画像の特定に用いることもできる。なお、この場合には、サーバＳから電子ペーパＥＰに画像情報と共にその画像ＩＤを送信して記憶させればよい。
【００４０】
また、本例では、拡大画像の画像情報の送信先となる電子ペーパＥＰを特定する媒体特定情報として、虫眼鏡チップＴのチップＩＤをチップメモリ２２に記憶させており、当該チップＩＤとチップ・媒体対応テーブルとを用いて送信先の電子ペーパＥＰを特定しているが、例えば、送信先の電子ペーパＥＰの媒体ＩＤを媒体特定情報としてチップメモリ２２に記憶させておき、送信先の電子ペーパＥＰの特定に用いるようにしてもよい。なお、この場合には、虫眼鏡チップＴに、媒体ＩＤを利用者が直接入力する機能や、外部から無線送信される媒体ＩＤを受信する機能を設け、取得した媒体ＩＤを記憶させればよい。
【００４１】
また、本例では、虫眼鏡チップＴがパターン画像の撮影により布置位置を検出しているが、例えば、固有の識別番号を無線読取可能に記憶した複数のＲＦＩＤを電子ペーパＥＰの略全面に亘って設けておき、虫眼鏡チップＴが布置下にあるＲＦＩＤから識別番号を読み取って布置位置を検出する等の他の態様により実現してもよい。
【００４２】
図６は、本例に係る情報表示システムの使用例を示している。
すなわち、第１電子ペーパＥＰ１には或る一覧表を縮小して全体を一目で把握可能にした全体画像が表示されており（同図左）、これに例えば２つの虫眼鏡チップＴを利用者が布置すると（同図中央）、その布置位置を拡大した画像が虫眼鏡チップＴに対応する第２電子ペーパＥＰ２に表示される（同図右）。つまり、或る電子ペーパＥＰに表示された画像中の所望部分に虫眼鏡チップＴを布置するという一度の利用者操作により、その部分に応じた画像が対応する他の電子ペーパＥＰに表示出力される。
なお、拡大画像が表示されている第２電子ペーパＥＰ２に虫眼鏡チップＴを布置することで、その部分をより拡大した画像を別の電子ペーパＥＰに表示するといったように、段階的な拡大画像の表示を行うことも可能である。
【００４３】
ここで、本発明は、上記のように指定された部分の拡大画像を別の電子ペーパＥＰに表示出力させる態様に限られず、例えば、指定された部分に予め関連付けられた画像を別の電子ペーパＥＰに表示出力させるようにしてもよい。
すなわち、例えば、図７に示すように、複数ページからなる電子文書の各ページを表象する表象画像（例えばアイコン画像）を一覧形式で示す全体画像を第１電子ペーパＥＰ１に表示しておき（同図左）、これに利用者が虫眼鏡チップＴを布置すると（同図中央）、その布置位置に対応するページの画像を対応する第２電子ペーパＥＰ２に表示させる（同図右）。なお、或る表象画像に複数の虫眼鏡チップＴを布置された場合には、図８に示すように各第２電子ペーパＥＰ２に同じページが表示させるため、複数人が第１電子ペーパＥＰ１を共有して作業するような環境にも適用することができる。
また、例えば、コンテンツ中の語句や画像等の各部分要素に他のＷｅｂページを関連付けたＷｅｂページを第１電子ペーパＥＰ１に表示しておき、当該部分要素が指定された場合に関連する他のＷｅｂページ（関連画像）を第２電子ペーパＥＰ２に表示させるようにしてもよい。
【００４４】
図９〜図１０は、本例に係る情報表示システムの他の使用例を示している。
すなわち、例えば図９に示すように、ディスプレイ画面Ｒ１に関連付けたディスプレイ虫眼鏡チップＴＲ１を電子ペーパＥＰ（本例では第２電子ペーパＥＰ２）に布置することで、その部分に関連付けられた他の画像や動画等の映像をディスプレイ画面Ｒ１に表示出力し、また、例えば図１０に示すように、スピーカＲ２に関連付けた音声虫眼鏡チップＴＲ２を電子ペーパＥＰ（本例では第２電子ペーパＥＰ２）に布置することで、その部分に関連付けられた音声をスピーカＲ２から再生出力する。
【００４５】
図１１は、本発明の他の実施例に係る電子ペーパＥＰの機能構成を示している。
この電子ペーパＥＰは、図１に示した電子ペーパＥＰに加えて、表示部１１の略全面に亘って設けられて接触動作を感知する感圧シート１６と、当該感圧シート１６により感知した接触動作に基づいて当該電子ペーパＥＰに描画された図形の位置及び形状を検出する検出手段１７と、を備えている。
また、本例では、図形の形状と電子ペーパＥＰ（及びディスプレイ画面Ｒ１やスピーカＲ２等）とを対応付けた形状・媒体対応テーブルを対応テーブル３３に有しており、画像情報の送信先の特定に用いている。
【００４６】
すなわち、前記実施例では虫眼鏡チップＴが行っていた位置検出処理を電子ペーパＥＰ自体が行うものであり、図１２に示すように、利用者が専用ペンＰを用いて所定の虫眼鏡マークＭの図形を第１電子ペーパＥＰ１に描くと、その図形が描画された位置に応じた画像を当該図形の形状に予め関連付けられた第２電子ペーパＥＰ２に表示される。つまり、或る電子ペーパＥＰに表示された画像中の所望部分に虫眼鏡マークＭを描画するという一度の利用者操作により、その部分に応じた画像が対応する他の電子ペーパＥＰに表示出力される。この際に、虫眼鏡マークＭの描画形態に応じて、関連付けられたコンテンツを選択するようにしてもよい。つまり、図１２で例示しているように、丸印で文書を選択表示し、三角印で画像を表示するようにしてもよい。
【００４７】
なお、例えば、ペン先に圧力が加えられたときに当該ペン先から所定周波数の超音波を発する専用ペンＰを用い、その超音波を受信して専用ペンＰの位置を検出する超音波センサを電子ペーパＥＰに設ける等の他の態様により、電子ペーパＥＰに描画された図形の位置及び形状の検出を行うようにしてもよい。
【００４８】
ここで、各実施例に係るサーバ（制御装置）Ｓ、虫眼鏡チップ（指示装置）Ｔ、電子ペーパ（表示保持媒体）ＥＰは、ＣＰＵ（Central Processing Unit）等の演算部やＲＡＭ（Random Access Memory）やＲＯＭ（Read Only Memory）等の記憶部といったハードウェア資源を有するコンピュータが本発明に係るプログラムを実行することで実現している。
具体的には、本例では、ＲＯＭ内に本発明に係るプログラムを予め記憶保持しており、当該プログラムを読み出してＲＡＭに展開し、演算部により実行させることで本発明に係る各機能手段を構成している。
【００４９】
なお、サーバＳに、例えば、ＣＤ−ＲＯＭ（Com pact Disc Read Only Memory）やメモリカートリッジ等の外部記憶媒体を装填するスロット等の媒体接続部をコンピュータに設け、本発明に係るプログラムをコンピュータ読み取り可能に記憶保持した外部記憶媒体から当該媒体接続部によりプログラムを読み出して実行してもよい。また、例えば、本発明に係るプログラムを送信する機能を有するプログラム送信装置との通信をネットワークを介して行う通信部をコンピュータに設け、当該通信部によりプログラム送信装置からプログラムを受信して実行してもよい。また、上記のように外部から取得した本発明に係るプログラムをコンピュータのＨＤＤ（Hard Disk Drive）に記憶保持するようにし、当該ＨＤＤからプログラムを読み出して実行してもよい。
なお、サーバＳ、虫眼鏡チップＴ、電子ペーパＥＰは、上記のようなソフトウェア構成でなく、専用のハードウェア回路により本発明に係る各機能手段を構成してもよい。
また、サーバＳの各機能手段を複数台の装置に分散して構成してもよい。
【図面の簡単な説明】
【００５０】
【図１】本発明の一実施例に係る情報表示システムの概要を説明する図である。
【図２】本発明の一実施例に係る電子ペーパの機能構成を示す図である。
【図３】本発明の一実施例に係る虫眼鏡チップの機能構成を示す図である。
【図４】本発明の一実施例に係るサーバの機能構成を示す図である。
【図５】本発明の一実施例に係る対応テーブルを説明する図である。
【図６】本発明の一実施例に係る情報表示システムの使用例を示す図である。
【図７】本発明の一実施例に係る情報表示システムの使用例を示す図である。
【図８】本発明の一実施例に係る情報表示システムの使用例を示す図である。
【図９】本発明の一実施例に係る情報表示システムの使用例を示す図である。
【図１０】本発明の一実施例に係る情報表示システムの使用例を示す図である。
【図１１】本発明の他の実施例に係る電子ペーパの機能構成を示す図である。
【図１２】本発明の他の実施例に係る情報表示システムの使用例を示す図である。
【図１３】電気書換型電子ペーパの構造を説明する図である。
【図１４】電気書換型電子ペーパの動作原理を説明する図である。
【符号の説明】
【００５１】
ＥＰ、ＥＰ１、ＥＰ２、ＥＰ２ａ、ＥＰ２ｂ：電子ペーパ、
Ｔ、ＴＲ１、ＴＲ２：虫眼鏡チップ、
Ｓ：サーバ、
Ｒ１：ディスプレイ画面、
Ｒ２：スピーカ、
１１：表示部、
１２、２１、３１：通信手段、
１３：媒体メモリ、
１４：制御手段、
１５：書込手段、
２２：チップメモリ、
２３：読取手段、
２４：撮影手段、
２５：検出手段、
３２：画像データベース、
３３：対応テーブル、
３４：特定手段、
３５：供給手段、
【図１】
2008225284.tif 000003
【図２】
2008225284.tif 000004
【図３】
2008225284.tif 000005
【図４】
2008225284.tif 000006
【図５】
2008225284.tif 000007
【図６】
2008225284.tif 000008
【図７】
2008225284.tif 000009
【図８】
2008225284.tif 000010
【図９】
2008225284.tif 000011
【図１０】
2008225284.tif 000012
【図１１】
2008225284.tif 000013
【図１２】
2008225284.tif 000014
【図１３】
2008225284.tif 000015
【図１４】
2008225284.tif 000016